(57)【要約】【課題】配管を効率的に位置決めし、基礎コンクリートを所定の高さに打設することができるようにした基礎コンクリート施工用具を提供する。【解決手段】この基礎コンクリート施工用具は、複数の配管１，２，３を所定位置に立設させる基礎コンクリートＫの平面と対応した多角形状の第１領域１１と、第１領域１１の各側縁から突出した複数の第２領域１２とを備えている。第２領域１２は、突出方向が基礎コンクリートＫの第２領域と同じ高さとされ、第１領域１１との境界で折曲可能とされている。第１領域１１には、複数の配管１，２，３のそれぞれの位置に対応して配管挿通予定部１６が設けられ、粘状のコンクリートを注入するための注入予定部１８が配管挿通予定部１６を避けて設けられ、かつ、配管１，２，３ごとの情報１７が配管挿通予定部１６付近に表示されている。【選択図】図３
2013204229.tif 000002
【特許請求の範囲】
【請求項１】
複数の配管を所定位置に立設させる施工予定の基礎コンクリートの平面に対応した多角形状の第１領域と、該第１領域の各側縁から突出した複数の第２領域とを備え、
前記第２領域は、突出方向の幅が基礎コンクリートの側面と同じ高さとされ、かつ、第１領域との境界で折曲可能とされ、前記第１領域には、複数の配管のそれぞれの位置に対応して配管挿通予定部が設けられ、粘状のコンクリートを注入するための注入予定部が前記配管挿通予定部を避けて設けられ、かつ、配管ごとの情報が配管挿通予定部付近に表示されていることを特徴とする基礎コンクリート施工用具。
【請求項２】
前記注入予定部は、長尺に複数設けられていることを特徴とする請求項１に記載の基礎コンクリート施工用具。
【請求項３】
前記配管挿通予定部は、異なる外径の配管を外嵌可能とすべく、異なる大きさに打抜可能とされていることを特徴とする請求項１又は２に記載の基礎コンクリート施工用具。
【請求項４】
前記第２領域の少なくとも一つには、周辺建造物から基礎コンクリートの側面までの距離を認識するためのスペーサ片が分離可能に設けられていることを特徴とする請求項１ないし３のいずれか一項に記載の基礎コンクリート施工用具。
【請求項５】
請求項１ないし３のいずれか一項に記載の基礎コンクリート施工用具を使用する基礎コンクリート施工方法であって、
基礎コンクリート施工用工具の各第２領域を同一方向に折り曲げ、前記第１領域と各第２領域との間に空間を画する工程と、基礎コンクリートの施工位置で地面から立ち上げられた複数の配管を配管挿通予定部に挿通させ、各配管の位置を調整する工程と、前記空間を画した基礎コンクリート施工用具を施工位置にセットし、開口した注入予定部から粘状のコンクリートを注入する工程とを含んでいることを特徴とする基礎コンクリート施工方法。
【発明の詳細な説明】
【技術分野】
【０００１】
本発明は、例えば、地中から立ち上げられた配管を位置決めして基礎コンクリートを施工する際に使用する基礎コンクリート施工用具、及び、この施工用具を使用する基礎コンクリート施工方法に関する。
【背景技術】
【０００２】
電気事業者から高圧で受電する需要家の敷地内においては、図８に示すような高圧キャビネット（以下、「キャビネット」という。）１００が設置されている。キャビネット１００には、底板１０１や扉１０２などが備えられている。また、キャビネット１００の内部には、分岐機構（図示せず）などが備えられ、分岐機構によって、電気事業者からの２組の高圧ケーブル１Ｃ，２Ｃと需要家への１組の高圧ケーブル３Ｃとが接続されている。
【０００３】
キャビネット１００は、基礎コンクリートＫ上に設置されている。キャビネット１００の底板１０１には、複数本（図面では一例として３本）の配管１，２，３が挿通する貫通穴が複数か所（図面では一例として３か所）に形成されている。各配管１，２，３には、各高圧ケーブル１Ｃ，２Ｃ，３Ｃが挿通されている。また、配管１，２，３は、地中に敷設され、基礎コンクリートＫの下側において立ち上げられている。
【０００４】
したがって、配管１，２，３は、基礎コンクリートＫを打設する前に敷設されている。すなわち、キャビネット１００の設置位置、換言すれば、基礎コンクリートＫの打設位置では、砕石Ｓが敷き詰められ、立ち上げられた３本の配管１，２，３が位置決めされた後、型枠内に粘状のコンクリートが流し込まれ、固められることで、基礎コンクリートＫが打設される。
【０００５】
そして、この基礎コンクリートＫ上にキャビネット１００が設置される。キャビネット１００の内部には、底板１０１の貫通穴から配管１，２，３が突出する。配管１，２，３内には、高圧ケーブル１Ｃ，２Ｃ，３Ｃが挿通され、各高圧ケーブル１Ｃ，２Ｃ，３Ｃが分岐機構によって接続される。
【０００６】
なお、キャビネットを施工する一例として、電気機器収容キュービクルを載置するキュービクル用基礎の設置工法が特許文献１に記載されている。この設置工法は、根切り底面に地業を施し、地業上に方形枠状の基礎主体を設置し、基礎主体上にキュービクルを配置する。そして、地下ケーブル用配管が地盤内、地業内、基礎主体内を通過してキュービクルに接続される。
【先行技術文献】
【特許文献】
【０００７】
【特許文献１】特開平８−１３５１３号公報
【発明の概要】
【発明が解決しようとする課題】
【０００８】
複数本の配管１，２，３は、所定の位置で基礎コンクリートＫから立設されていないと、高圧ケーブル１Ｃ，２Ｃ，３Ｃを誤って配管１，２，３に挿通し、誤接続することがある。したがって、基礎コンクリートＫを施工するに際して、配管１，２，３の位置を記入した資料が作業者に配布されるが、その資料を見ないで施工され、配管１，２，３が所定の位置からずれることがある。
【０００９】
そうすると、基礎コンクリートＫの施工をやり直す工事をしなければならない。しかし、このような工事によって余分な出費が必要となるだけでなく、工事が長引き、建築検査や引渡し時期が遅くなるという問題が生じる。
【００１０】
また、複数の配管１，２，３が所定の位置に立設されたとしても、基礎コンクリートＫは、型枠内にコンクリートが流し込まれることで施工されるため、所定の高さにならないことがある。このような配管１，２，３の位置決めや基礎コンクリートＫの高さ問題は、特許文献１に記載された発明によって解決できない。
【００１１】
そこで、本発明は、配管を基礎コンクリートに対して効率的に位置決めし、基礎コンクリートを所定の高さに打設することができるようにした基礎コンクリート施工用具及びこの基礎コンクリート施工用具を使用する基礎コンクリート施工方法を提供することを課題とする。
【課題を解決するための手段】
【００１２】
本発明に係る基礎コンクリート施工用具は、複数の配管を所定位置に立設させる施工予定の基礎コンクリートの平面に対応した多角形状の第１領域と、該第１領域の各側縁から突出した複数の第２領域とを備え、前記第２領域は、突出方向の幅が基礎コンクリートの側面と同じ高さとされ、かつ、第１領域との境界で折曲可能とされ、前記第１領域には、複数の配管のそれぞれの位置に対応して配管挿通予定部が設けられ、粘状のコンクリートを注入するための注入予定部が前記配管挿通予定部を避けて設けられ、かつ、配管ごとの情報が配管挿通予定部付近に表示されていることを特徴としている。
【００１３】
この基礎コンクリート施工用具によれば、基礎コンクリートの施工位置で立ち上げられた配管と位置合わせし、配管が所定の位置で立設されるように配管の位置を調整した上で、基礎コンクリートを施工することができる。すなわち、立ち上げられた配管が所定の位置にないと、その配管は第１領域に形成された配管挿通予定部を挿通することができない。したがって、配管が配管挿通予定部を挿通するように調整することによって、配管を所定の位置に迅速に位置合わせすることができる。
【００１４】
なお、配管挿通予定部は、穴を設けた状態と穴を設ける前の両方を含む概念であるが、穴を設ける前の配管挿通予定部にあっては、当然ながら、穴を設けた状態とした配管挿通予定部と配管と位置合わせする。
【００１５】
そして、この基礎コンクリート施工用具は、第１領域に配管の情報が表示されていることにより、複数の配管は、間違うことなく所定の穴状の配管挿通予定部を挿通する。例えば、配管が「１」「２」「３」のように識別されている場合は、配管挿通予定部付近の第１領域には情報として「１」「２」「３」が表示される。
【００１６】
そして、各第２領域が同一方向（施工時では直角下向き）に折曲されることで、基礎コンクリート施工用具は下向きの枡形状とされ、第１領域と各第２領域とによって画された空間が設けられる。
【００１７】
そして、折り曲げられた第２領域のエッジを施工予定位置の地面に置く（セットする）。この第２領域を地面に置く前又は置いた後に注入予定部を開口する。なお、注入予定部は、配管挿通予定部を避けて設けられているため、配管を配管挿通予定部に挿通させる障害とならならず、また、この段階で開口することにより、注入予定部に情報が表示されていても、配管を穴状の配管挿通予定部に挿通させる際に、情報を認識することができる。
【００１８】
そして、開口した注入予定部から粘状のコンクリートを注入する。粘状のコンクリートが固まると、配管を所定の位置で立設させた基礎コンクリートが打設される。この基礎コンクリートの高さは、第２領域の突出方向の幅分であるため、所定の高さになっている。
【００１９】
また、前記本発明に係る基礎コンクリート施工用具において、前記注入予定部は、長尺に複数設けられていることが好ましい。
【００２０】
粘状のコンクリートが流れにくく、注入予定部が１か所のみ設けられた場合は、粘状のコンクリートが空間内の隅まで迅速に流れにくいものの、この基礎コンクリート施工用具によれば、注入予定部が長尺に複数設けられることで、それぞれの開口した注入予定部から粘状のコンクリートを注入することができ、粘状のコンクリートを空間の隅々まで迅速に充填することができる。
【００２１】
また、前記本発明に係る基礎コンクリート施工用具において、前記配管挿通予定部は、異なる外径の配管を外嵌可能とすべく、異なる大きさに打抜可能とされていてもよい。
【００２２】
配管は、外径の異なる複数種類の中から選択されるが、大きな外径の配管が入るような大きさの配管挿通予定部が一つだけで設けられると、小さな外径の配管が穴状の配管挿通予定部を挿通したときに、配管と配管挿通予定部の内周との間に大きな間隔（いわゆる遊び）が生じる。
【００２３】
しかし、異なる大きさに打抜可能とされた配管挿通予定部を備えた基礎コンクリート施工用具によれば、挿通する配管の外径に合わせて配管挿通予定部を打ち抜くことで、配管が大きな間隔を空けることなく配管挿通予定部内を挿通し、配管を正確な位置で立設させることができる。
【００２４】
また、前記本発明に係る基礎コンクリート施工用具において、前記第２領域の少なくとも一つには、周辺建造物から基礎コンクリートの側面までの距離を認識するためのスペーサ片が分離可能に設けられていてもよい。
【００２５】
この基礎コンクリート施工用具によれば、施工予定の基礎コンクリートに隣接して壁や塀などの周辺建造物が設置されている場合において、スペーサ片のエッジを周辺建造物に当てることで、建造物と第２領域との間隔を認識し、周辺建造物から所定距離を空けて基礎コンクリートを施工することができる。
【００２６】
また、本発明に係る基礎コンクリート施工方法は、前記本発明に係る基礎コンクリート施工用具を使用し、基礎コンクリート施工用工具の各第２領域を同一方向に折り曲げ、前記第１領域と各第２領域との間に空間を画する工程と、基礎コンクリートの施工位置で地面から立ち上げられた複数の配管を配管挿通予定部に挿通させ、各配管の位置を調整する工程と、前記空間を画した基礎コンクリート施工用具を施工位置にセットし、開口した注入予定部から粘状のコンクリートを注入する工程とを含んでいることを特徴としている。
【００２７】
この基礎コンクリート施工方法によれば、施工位置において立ち上げられた配管を所定の位置で基礎コンクリートから正確かつ迅速に立設させることができる。すなわち、穴状の複数の配管挿通予定部に配管が挿通することで、配管が正確かつ迅速に位置決めされ、開口した注入予定部から空間内に粘状のコンクリートを注入することで、第２領域の幅分の高さを有する基礎コンクリートを打設することができる。
【００２８】
なお、この基礎コンクリート施工方法における工程は、前記の順序に限定するものでなく、例えば、穴状の配管挿通予定部に配管を挿通させた後に、第２領域を折り曲げて空間を設けてもよい。
【発明の効果】
【００２９】
本発明によれば、配管を所定位置に立設させた基礎コンクリートが施工されるため、配管の立設位置の不良を原因とする基礎コンクリートのやり直し工事を解消することができるだけでなく、迅速に施工することが可能となることからも、施工費用のコストダウンを図ることができる。
【図面の簡単な説明】
【００３０】
【図１】本発明に係る基礎コンクリート施工用具の一実施形態を示す概略斜視図である。
【図２】本発明に係る基礎コンクリート施工用具の一実施形態であって、最初の施工の状態を示す概略斜視図である。
【図３】本発明に係る基礎コンクリート施工用具の一実施形態であって、施工途中の状態を示す概略斜視図である。
【図４】本発明に係る基礎コンクリート施工用具の一実施形態であって、（ａ）（ｂ）ともに異なる施工途中の状態を示す断面正面図である。
【図５】本発明に係る基礎コンクリート施工用具の一実施形態であって、（ａ）（ｂ）ともに異なる施工途中の状態を示す概略斜視図である。
【図６】本発明に係る基礎コンクリート施工用具の一実施形態であって、施工途中の状態を示す概略斜視図である。
【図７】本発明に係る基礎コンクリート施工用具の一実施形態であって、最終の施工の状態を示す概略斜視図である。
【図８】基礎コンクリート上にキャビネットを設置した一例であって、（ａ）はキャビネットが閉扉した状態を示す正面図、（ｂ）はキャビネットが開扉した状態を示す正面図である。
【発明を実施するための形態】
【００３１】
本発明に係る基礎コンクリート施工用具及び基礎コンクリートの施工方法ついて図１ないし図７を参照しながら説明する。
【００３２】
この基礎コンクリート施工用具（以下、「施工用具」という。）は、例えば、電気事業者から高圧で受電する需要家の敷地内において、キャビネット１００（図８参照）を設置するための基礎コンクリートＫを打設する際に使用する。基礎コンクリートＫからは、図７に示すように、複数組（図面では一例として３組）の高圧ケーブル１Ｃ，２Ｃ，３Ｃ（図８参照）を挿通する複数本（図面では一例として３本）の配管１，２，３が立設している。なお、配管１，２，３は、「１番」「２番」「３番」というように識別されている。
【００３３】
そして、施工用具には、図１に示すように、四角形状（図面では一例として長方形）の型紙１０から構成されている。型紙１０は、一般的には紙製であるが、樹脂製などであってもよい。この型紙１０の中心には、第１領域１１が設けられ、第１領域１１の周囲に第２領域１２が設けられている。また、第１領域１１は、基礎コンクリートＫの平面と同じ大きさの四角形（図面では一例として長方形）とされているが、四角形以外の多角形としてもよい。
【００３４】
四角形の第１領域１１の各側縁からは、四つの長方形状の第２領域１２が基礎コンクリートＫの側面の高さ分で突出している。すなわち、第２領域１２の突出方向の幅（短辺の長さ）は、基礎コンクリートＫの高さと同じとされている。そして、第２領域１２は、同一方向に折曲可能とされている。折曲された第２領域１２は、枠状となり、第１領域１１とともに枡状（使用状態では下向き）に囲まれた空間１３が画される。
【００３５】
また、少なくとも一つの第２領域１２からスペーサ片１４が分離可能に突出して設けられている。スペーサ片１４は、施工する基礎コンクリートＫに隣り合っている壁や塀などの建造物と所定の間隔が空いていることを認識するためのもので、間隔を空けるに必要な長さで突出している。スペーサ片１４は、間隔を空ける必要がある少なくとも一つの第２領域１２に設けられればよいが、施工場所ごとに必要な側が異なるため、扉側以外の３辺の第２領域１２に設けておいてもよい。
【００３６】
また、第１領域１１には、配管１，２，３を挿通させる配管挿通予定部１６が設けられている。この配管挿通予定部１６は、配管１，２，３を立設させる所定位置に対応した間隔で設けられている。この実施形態では、３本の配管１，２，３が立設するため、配管挿通予定部１６は３か所に設けられている。
【００３７】
また、配管挿通予定部１６は、型紙１０の状態では打ち抜かれておらず、使用の際又は出荷時に切り抜くなどして除去されて穴状とされる。そして、第２領域１２と第２領域１２とが直角に隣り合っている角部１５も、型紙１０の状態では除去されておらず、使用の際又は出荷時に除去される。なお、施工時に、配管挿通予定部１６を穴状に開口する場合や、また、角部１５を除去する場合は、配管挿通予定部１６、また、角部１５には、ミシン目などによる切断補助線によって区画しておくことが好ましい。
【００３８】
また、各配管挿通予定部１６付近の第１領域１１には、識別された配管１，２，３と対応させる「１番」「２番」「３番」といった情報１７が表示されている。さらに、第１領域１１の一方の側部と他方の側部とにも、「扉側」、「後側」といった情報１７も表示されている。なお、情報１７は、これらに限定されない。
【００３９】
そして、配管１，２，３は、外径の異なる複数種類の中から選択されることがあるため、その外径に合わせて配管挿通予定部１６が設けられる。例えば、２種類の配管１，２，３に対応させる場合は、切断補助線を２周に設ける。
【００４０】
ただし、型紙１０の状態において、小さな穴状の配管挿通予定部１６を予め設けておく場合は、その小さな配管挿通予定部１６よりも大きな穴状の配管挿通予定部１６を設けるための切断補助線を１周だけ設けておいてもよい。
【００４１】
また、第１領域１１には、粘状のコンクリートを注入するための注入予定部１８が設けられている。この注入予定部１８は、配管挿通予定部１６を避ける位置であって、第１領域１１の一方の側部と他方の側部に沿うような長尺に２本設けられる。
【００４２】
この注入予定部１８上に前記情報１７が表示される場合は、粘状のコンクリートの流入時に開口するように、注入予定部１８は、ミシン目のような切断線によって区画されている。注入予定部１８上に前記情報１７が表示されない場合は、出荷時に開口しておいてもよい。
【００４３】
この施工用具は、以上のように構成され、次に、この施工用具を使用する基礎コンクリートの施工方法について説明する。
【００４４】
なお、基礎コンクリートＫの施工予定地まで配管１，２，３を埋設するルートにおいては、地面が掘られて配管１，２，３が敷設され、基礎コンクリートＫの施工予定地において、配管１，２，３が立ち上げられている。基礎コンクリートＫの施工予定地では、砕石Ｓが敷き詰められている場合と、敷き詰められていない場合とがある。
【００４５】
いずれにしても、スペーサ片１４を設けた施工用具にあっては、立ち上がっている配管１，２，３に配管挿通予定部１６を近づけた位置で、スペーサ片１４のエッジが隣接している壁に当たらないかどうか確認する。立ち上がっている配管１，２，３に配管挿通予定部１６を近づけた位置において、スペーサ片１４のエッジ部が隣接している壁に当たるような場合は、配管１，２，３をその壁から離れるように移動する。
【００４６】
そして、図２に示すように、スペーサ片１４を除去し、角部１５を除去する。また、配管挿通予定部１６が穴状に開口していない、又は配管１，２，３の外径に一致していない穴状の配管挿通予定部１６が開口している場合は、一致する穴を有するように、配管挿通予定部１６を開口する。
【００４７】
そして、図３に示すように第２領域１２を折り曲げて枠状とし、又は、図示しないが第２領域１２を折り曲げないまま、配管１，２，３の番号と配管挿通予定部１６の情報１７とが一致しているかを確認し、立ち上がっている配管１，２，３を穴状の配管挿通予定部１６を挿通させる。
【００４８】
例えば、図４（ａ）に示すように、第１と第３の配管１，３を穴状の配管挿通予定部１６に挿通させることができない場合は、図４（ｂ）に示すように第１と第３の配管１，３をずらせ、すべての配管１，２，３が穴状の配管挿通予定部１６を挿通できるように位置合わせをする。
【００４９】
施工予定地に砕石Ｓが敷き詰められている場合であっても、その砕石Ｓを少しだけ掘ることで、配管１，２，３の位置を調整することができる。施工予定地に砕石Ｓが敷き詰められていない場合は、配管１，２，３の位置を調整した後に砕石Ｓを敷き詰める。
【００５０】
そして、第２領域１２を折り曲げていない施工用具にあっては、同一方向、具体的には第１領域１１の裏面方向に折り曲げる。また、折り曲げられた第２領域１２が地面（砕石Ｓ）上に置かれ（セットされ）、第２領域１２と第１領域１１とによって画された空間１３を密閉空間とする。
【００５１】
そして、第２領域１２を地面に置いた後、注入予定部１８を開口する。注入予定部１８に情報１７が表示されていても、この段階で注入予定部１８を開口することで、情報１７を確認して、第２領域１２を地面に置くことができる。情報１７が注入予定部１８に表示されていないときは、どの段階においても注入予定部１８を開口してもよい。
【００５２】
そして、図５（ａ）（ｂ）に示すように、各第２領域１２に型枠２０を宛がい、枠状の第２領域１２が変形しないようにする。そして、図６に示すように、チューブ５の先端部を開口した注入予定部１８内に挿し込み、チューブ５から空間１３内に粘状のコンクリートを注入する。注入予定部１８が２本長尺に設けられていることにより、粘状のコンクリートを空間１３内の隅々まで迅速に充填することができる。
【００５３】
粘状のコンクリートが固まると、型枠２０を外し、図７に示すように、施工用具を除去する。施工用具を容易に除去できるように、施工用具に離型剤を塗布していてもよい。
【００５４】
基礎コンクリートＫからは、３本の配管１，２，３が所定の位置に立設されている。また、基礎コンクリートＫは、第２領域１２の幅で打設されるため、所定の高さを有している。
【００５５】
このように打設された基礎コンクリートＫ上には、図８に示すようなキャビネット１００が設置される。基礎コンクリートＫから立設した配管１，２，３は、キャビネット１００の底部の貫通穴を挿通する。すなわち、配管１，２，３は、正確な位置に立設しているため、キャビネット１００を設置するに際して基礎コンクリートＫの工事をやり直すことがない。
【００５６】
また、キャビネット１００は、隣り合っている壁などから所定の間隔を空けて設置されている。したがって、キャビネット１００の扉は、閉じられた状態から９０°以上に開扉し、キャビネット１００内でのケーブルの接続作業や点検作業などを円滑に行うことができる。
【００５７】
なお、本発明は、前記実施の形態に限定することなく種々変更することができる。例えば、注入予定部１８は、長尺でなく、円形や拡径のものを１か所又は複数か所に設けてもよい。また、配管挿通予定部１６は、１種類の配管１，２，３しか挿通させない場合は、異なる大きさに打ち抜き可能とされていなくてもよい。さらに、施工用具は、スペーサ片１４を必ずしも備えなくてもよい。
【００５８】
また、前記の実施形態では、３本の高圧ケーブル１Ｃ，２Ｃ，３Ｃを挿通する配管１，２，３を立設する基礎コンクリートＫを打設する場合について説明したが、配管１，２，３は２本でも、４本以上でもよく、基礎コンクリートＫは、キャビネット１００以外に種々の台座として使用することができる。
【符号の説明】
【００５９】
１，２，３…配管
１０…………型紙
１１…………第１領域
１２…………第２領域
１３…………空間
１４…………スペーサ片
１６…………配管挿通予定部
１７…………情報
１８…………注入予定部
１００………キャビネット
Ｋ……………基礎コンクリート
【図１】
2013204229.tif 000003
【図２】
2013204229.tif 000004
【図３】
2013204229.tif 000005
【図４】
2013204229.tif 000006
【図５】
2013204229.tif 000007
【図６】
2013204229.tif 000008
【図７】
2013204229.tif 000009
【図８】
2013204229.tif 000010